(57)【特許請求の範囲】
【請求項１】
中心軸に向けて突き出すスペーサー体を有し、防潮堤を構成する既設の鋼管杭の杭頭部をこの杭頭部の上端が前記スペーサー体に突き当たる位置まで下方から受け入れ可能に構成された鋼管と、
この鋼管の上端上に位置される天面と、この鋼管の下端上に位置される底面と、この天面と底面間に亘る側面とを備えて、この鋼管の外側に形成されたコンクリート製の台部とを有しており、
前記台部の底面下にある前記鋼管の側部にはこの鋼管内への前記鋼管杭の受け入れ後にこの鋼管と鋼管杭との間に形成される空間にコンクリートを打ち込むためのこのコンクリートの注入部が形成されていると共に、
前記鋼管の下端には前記注入部から注入されるコンクリートの漏れ出し阻止部が形成されていることを特徴とする防潮堤の基礎部となるプレキャストブロック。
【請求項２】
台部に、その天面から垂直方向に一部を突き出すように、連結用棒状体が備えられていることを特徴とする請求項１に記載の防潮堤の基礎部となるプレキャストブロック。
【発明の詳細な説明】
【技術分野】
【０００１】
この発明は、既設の鋼管杭の杭頭部に組み付けられて、防潮堤の壁部を支持する基礎部となるプレキャストブロックに関する。
【背景技術】
【０００２】
水底ないしは水辺の地盤に打ち込まれた鋼管杭を利用して構成される防潮堤がある。かかる防潮堤にあっては、これを構成する陸上ないしは水上部分としての壁部は、前記鋼管杭の杭頭部を芯とするように現場打ちによって形成される基礎部上に構築される。
【発明の概要】
【発明が解決しようとする課題】
【０００３】
この発明が解決しようとする主たる問題点は、鋼管杭を利用して構成される防潮堤を、現場での作業工程を可及的に低減させて、容易、適切且つ迅速に築造できるようにする点にある。
【課題を解決するための手段】
【０００４】
前記課題を達成するために、この発明にあっては、防潮堤の基礎部となるプレキャストブロックを、中心軸に向けて突き出すスペーサー体を有し、防潮堤を構成する既設の鋼管杭の杭頭部をこの杭頭部の上端が前記スペーサー体に突き当たる位置まで下方から受け入れ可能に構成された鋼管と、
この鋼管の上端上に位置される天面と、この鋼管の下端上に位置される底面と、この天面と底面間に亘る側面とを備えて、この鋼管の外側に形成されたコンクリート製の台部とを有しており、
前記台部の底面下にある前記鋼管の側部にはこの鋼管内への前記鋼管杭の受け入れ後にこの鋼管と鋼管杭との間に形成される空間にコンクリートを打ち込むためのこのコンクリートの注入部が形成されていると共に、
前記鋼管の下端には前記注入部から注入されるコンクリートの漏れ出し阻止部が形成されているものとした。
【０００５】
かかる構成によれば、プレキャストブロックの鋼管内に既設の鋼管杭の杭頭部を受け入れさせた後、前記空間内に前記注入部からコンクリートを打ち込むことにより、プレキャストブロックと既設の鋼管杭の杭頭部とを一体化させて、防潮堤の陸上ないしは水上部分としての壁部を支持する基礎部を既設の鋼管杭上に容易且つ適切に備えさせることができる。
【０００６】
前記台部に、その上面から垂直方向に一部を突き出すように、連結用棒状体を備えさせておくこともある。このようにした場合、かかる連結用棒状体を利用して、それぞれ既設の鋼管杭と一体化されて基礎部となったプレキャストブロックと、この上に載置される防潮堤の陸上ないしは水上部分としての壁部となるプレキャストブロックとを連結させて、防潮堤を容易に構成させることができる。
【発明の効果】
【０００７】
この発明によれば、鋼管杭を利用して構成される防潮堤を、現場での作業工程を可及的に低減させて、特に現場でのコンクリートの打ち込みを必要最小限にして、容易、適切且つ迅速に築造することができる。
【図面の簡単な説明】
【０００８】
【図１】図１は実施の形態にかかるプレキャストブロックを既設の鋼管杭の杭頭部上に組み付けた状態を示した断面構成図である。
【図２】図２は前記プレキャストブロックを基礎部として構築された防潮堤の断面構成図である。
【図３】図３は前記プレキャストブロックを基礎部として構築された防潮堤の断面構成図であり、図２の右側からかかる防潮堤を見て示している。
【発明を実施するための形態】
【０００９】
以下、図１〜図３に基づいて、この発明の典型的な実施の形態について、説明する。この実施の形態にかかるプレキャストブロックは、既設の鋼管杭Ｐの杭頭部Ｐａに組み付けられて、防潮堤Ｂの壁部Ｂａを支持する基礎部Ｂｂとなるものである。
【００１０】
図示の例では、列をなすように水底ないしは水辺の地盤に打ち込まれた複数の既設の鋼管杭Ｐの杭頭部ＰａにそれぞれプレキャストブロックＣを、隣り合うプレキャストブロックＣ同士を密着させるようにして組み付けて、これら複数のプレキャストブロックＣ、Ｃ…から防潮堤Ｂの基礎部Ｂｂを構成させている。
【００１１】
各プレキャストブロックＣはそれぞれ、鋼管１と、台部２とを有している。
【００１２】
かかる鋼管１は、前記既設の鋼管杭Ｐの杭頭部Ｐａを下方から受け入れ可能に構成されている。図示の例では、かかる鋼管１は、円筒状をなす既設の鋼管杭Ｐの外径よりも内径を大きくした円筒状をなしている。
【００１３】
かかる鋼管１の上端側には、鋼管１の中心軸ｘに向けて突き出すスペーサー体１０が備えられている。図示の例では、かかるスペーサー体１０は、一方の側辺部１０ａを鋼管１の内面に固着させた板状をなし、前記中心軸ｘを周回する方向において９０度間隔で四カ所に設けられている。各スペーサー体１０の鋼管１の内面からの突きだし寸法は等しく、かつ、このスペーサー体１０の上辺部１０ｂと下辺部１０ｃとの間に亘る他方の側辺部１０ｄは、下辺部１０ｃに近づくに連れてこのスペーサー体１０の板幅を減じる向きに傾斜している。かかる側辺部１０ｄと前記中心軸ｘとがなす角度は、各スペーサー体１０においても同一となっている。そして、この実施の形態にあっては、鋼管１内に鋼管杭Ｐは、その杭頭部Ｐａの上端が各スペーサー体１０の傾斜した前記他方の側辺部１０ｄにそれぞれ突き当たる位置まで受け入れられるようになっている。かかるスペーサー体１０により、鋼管１の中心軸ｘを受け入れた鋼管杭Ｐの中心軸ｘ’と一致させ、かつ、鋼管１の外側に形成された後述の台部２の天面２０を水平に位置させるようになっている。
【００１４】
かかる鋼管１の下端には、後述の注入部から注入されるコンクリート３の漏れ出し阻止部１１が形成されている。図示の例では、かかる漏れ出し阻止部１１は、リング状をなす板体１１ａの外周部を鋼管１の下端に固着させることで鋼管１に備えられている。この板体１１ａの内径は鋼管杭Ｐの外径と略等しくなっている。図中符号１２で示すのは、かかる板体１１ａを支持するブラケットである。
【００１５】
一方、前記台部２は、コンンクリート製であり、前記鋼管１の上端上に位置される天面２０と、この鋼管１の下端上に位置される底面２１と、この天面２０と底面２１間に亘る側面２２とを備えて、この鋼管１の外側に形成されている。すなわち、かかる台部２は、これを形成するための型枠内に前記鋼管１の上端側を納めた状態でこの型枠内にコンクリートを打設することで形成される。図示の例では、かかる台部２の天面２０は、前記鋼管１の中心軸ｘに直交した面となっている。
【００１６】
また、この実施の形態にあっては、かかる台部２に、その天面２０から垂直方向に一部を突き出すように、連結用棒状体２３が備えられている。図示の例では、連結用棒状体２３は、構成される防潮堤Ｂの壁部Ｂａの連続方向に隣り合う連結用棒状体２３との間に間隔を開けて、前後二列に設けられている。かかる連結用棒状体２３は、この台部２のインサートとした鋼棒などにより、あるいは、この台部２の鉄筋の一部により、構成させることができる。
【００１７】
また、この実施の形態にあっては、前記台部２の底面２１下にある前記鋼管１の側部に、この鋼管１内への前記鋼管杭Ｐの受け入れ後にこの鋼管１と鋼管杭Ｐとの間に形成される空間にコンクリート３を打ち込むためのこのコンクリート３の注入部を形成させている。（かかる注入部の形成箇所を図１において符号１３で示す）
【００１８】
前記プレキャストブロックＣの鋼管１内に既設の鋼管杭Ｐの杭頭部Ｐａを受け入れさせた後、前記空間内に前記注入部からコンクリート３を打ち込むことにより、プレキャストブロックＣと既設の鋼管杭Ｐの杭頭部Ｐａとを一体化させて、防潮堤Ｂの壁部Ｂａを支持する基礎部Ｂｂを既設の鋼管杭Ｐ上に容易且つ適切に備えさせることができる。典型的には、鋼管杭Ｐの杭頭部Ｐａの周囲を掘削してプレキャストブロックＣが納まる空間を形成し、この空間内において鋼管杭ＰにプレキャストブロックＣを前記のように組み付け、この後、プレキャストブロックＣの天面２０以外の箇所を埋設する。図示の例では、かかる一体性を高めるために、注入部からのコンクリート３の打ち込みに先立って、鋼管杭Ｐの杭頭部Ｐａにこの杭頭部Ｐａの外面から直交する向きに突き出すようにスタッドボルトＰｂを設けるようにしている。注入部から打ち込まれるコンクリート３は、典型的にはセメントペーストに細骨材を混ぜたものを用いる。図示の例では、鋼管１の上端に達するレベルまででかかるコンクリート３を打ち込むようにしている。図示の例では、前記台部２の天面２０は地盤面ｙ下に埋設され、この台部２上に防潮堤Ｂの陸上ないしは水上部分としての壁部Ｂａが載置されている。図中符号ｚは水面を示している。
【００１９】
図示の例では、防潮堤Ｂの陸上ないしは水上部分としての壁部Ｂａも、プレキャストブロックＣ’により構成するようにしている。この壁部ＢａとなるプレキャストブロックＣ’内には、この壁部ＢａとなるプレキャストブロックＣ’の底面に下端を臨ませたスリーブ体Ｓが縦向きに埋め込まれている。また、この壁部ＢａとなるプレキャストブロックＣ’内には、かかるスリーブ体Ｓより上方にあってその下端をスリーブ体Ｓの上端からスリーブ体Ｓ内に入り込ませた鉄筋Ｃａが配されている。
【００２０】
そして、図示の例では、前記基礎部ＢｂとなるプレキャストブロックＣの天面２０から突き出す連結用棒状体２３を、この基礎部ＢｂとなるプレキャストブロックＣ上に載置される壁部ＢａとなるプレキャストブロックＣ’の前記スリーブ体Ｓ内にその下端から挿入することにより、両プレキャストブロックＣ、Ｃ’を連結させるようにしている。隣り合う壁部ＢａとなるプレキャストブロックＣ’、Ｃ’同士は、典型的には、ＰＣ鋼棒を用いてその側部同士を密着させるようにする。
【符号の説明】
【００２１】
Ｂ  防潮堤
Ｐ  鋼管杭
Ｐａ  杭頭部
１  鋼管
１１  漏れ出し阻止部
２  台部
２０  天面
２１  底面
２２  側面
３  コンクリート
【図１】
0005611265.tif 000002
【図２】
0005611265.tif 000003
【図３】
0005611265.tif 000004